(57)【要約】【課題】  扉に使用してラッチボルトを引込める錠の取手で、扉面からの突き出し寸法が小さくて使い易い錠の取手が無い。防火扉に使われるケースハンドルでは操作しにくく、操作にあたって指が痛くなる。突き出し寸法の小さい取手では操作しにくい。  通路の仕切り扉の取手では、突き出し寸法が小さくても配膳車等をぶつけて壊す事がある。扉面からの突き出しが小さく、物をぶつけにくく、物をぶつけても壊れず、使い易い錠の取手を実現する事が課題である。【解決手段】錠のハンドル軸に折り畳み軸を設け、錠の化粧座にハンドルを収納するハンドルポケットを設け、ハンドルを折り畳んでハンドルポケットに収納する事でハンドルの扉面からの突き出しを小さくし、ハンドルが化粧座によって保護され、物をぶつけても壊れる事無く、ハンドルを水平位置に開くと使い易い錠の取手収納機構を実現した。【選択図】図１
2006328713.tif 000002
【特許請求の範囲】
【請求項１】
錠の化粧座（５）に錠の取手であるハンドル（８）を収納するハンドルポケット（６）を設け、錠のハンドル（８）のハンドル軸（７）に、ハンドル軸芯（１２）の向きと直角に交わり、水平方向に位置する折り畳み軸（１３）を設け、化粧座にハンドルを組み付けて使用する事で、ハンドルを上に回して折り畳み、ハンドルポケットに収納するとハンドルはハンドルポケットに納まり、ハンドルを操作する時はハンドルをハンドルポケットから引き出すとハンドルが水平位置となり、従来の錠のハンドルと同じ操作ができる事を特徴とする錠の取手収納機構。
【発明の詳細な説明】
【技術分野】
【０００１】
錠の取手を折り畳んで化粧座に収納し、出張りを無くす技術に関する。
【背景技術】
【０００２】
錠の取手を折り畳むものに、図７に示すように、ケースハンドルが見られる。
ケースハンドルは常時開扉型防火扉に取り付け、開扉して扉を戸袋に収納した時に取手が壁に当らず、通路側に取手を突き出さない為に使用される。
ケースハンドルの取手であるブラカン（３４）は自重で下に下がり、ブラカンケース（３３）に収納される。
使用する時はブラカン（３４）をブラカンケース（３３）から引き出し、ブラカンを回す。
【０００３】
他に取手の突き出さない錠として戸襖錠等があるが、これらは取手を折り畳むものではない。
ケースハンドル以外に取手を折り畳むものは見当たらず、取手を折り畳んで収納するものも見られない。
【非特許文献１】美和ロック株式会社２００４年版総合カタログＰ．２８４右下掲載の写真
【発明の開示】
【発明が解決しようとする課題】
【０００４】
錠の取手や、錠の一部の扉面からの出張りが問題になる事が多い。
その１つは通路に面した常時開扉型防火扉である。従来はケースハンドルを取り付けているが、ケースハンドルはハンドルが小さい為に引き出しにくく、操作しにくい。
またケースハンドルは半円形の取手の内周側に指を入れて回し、引く為に指が痛くなり、力が入らない。
【０００５】
通路を仕切る扉で、配膳車や台車が通ると取手にぶつかり、取手が破損しているのを見る事が多い。
このような扉で使用する錠の取手で、より大きく扉を開いて通路幅を確保し、取手が邪魔にならない錠は見た事がない。
【０００６】
扉を係止する為のラッチボルトを引込め、扉を引くか押して扉を開けるための錠の取手で、取手の突き出しや取手を小さくしたものでは、操作がしにくいのが普通である。また、それらは取手がぶつかる確率が小さいだけで、ぶつかった場合は破損するのが普通である。
【０００７】
以上の事から大きい取手で操作し易く、扉面からの突き出しが小さく、取手に物が引掛かりにくく、物がぶつかりにくく、ぶつかっても錠の取手が被害を受けない錠の取手を実現する事が課題である。
【課題を解決するための手段】
【０００８】
大きい取手であるハンドルを使用し、扉面からの出張りを小さくする為には、ハンドルをハンドル軸の根元から折り曲げる事が考えられる。折り曲げた状態でさらに出張りを小さくする為にはハンドルの厚さを薄くすれば良い。
しかし、出張りが小さくてもハンドルに物がぶつかる確立が小さくなるだけである。ハンドルに物がぶつかってもハンドルが壊れないか、ハンドルに物がぶつかる事が無いようにする必要がある。
【０００９】
ハンドルに物をぶつけても壊れないハンドルを作る事などできない。
その為にはハンドルを折り畳んだ状態でハンドルが保護され、ハンドルに物がぶつかるのを無くす事が考えられる。
あとはハンドル自体や構造上の強度の確保や、使い勝手を良くする事である。
【００１０】
以上の思想で実現したのが本発明の錠の取手収納機構である。
図１、２、３、４に基づいてその仕組みを説明する。
まず、この機構はハンドル軸（７）部分で折り曲げる事のできるハンドル（８）と、折り曲げたハンドルを収納するハンドルポケット（６）を持つ化粧座（５）を組み合わせて使用するのが特徴である。折り畳む事でハンドルの出張りが小さくなるとともに、ハンドルを化粧座のハンドルポケットに収納する事で化粧座によってハンドルが保護され、ハンドルに物がぶつかるのを防止するものである。
【００１１】
ハンドルをハンドルポケットに収納した状態で、化粧座正面側から化粧座やハンドルに物をぶつける事は可能だが、実際の使用ではそのような事は少なく、仮に正面側からハンドルに物をぶつけたとしてもハンドルが受ける被害は少ない。
図では化粧座上方から下に向けてハンドルに物をぶつける事が可能である。
しかし、実際は上からハンドルに物をぶつけるような事は少なく、あっても化粧座（５）の上部の角にぶつかる程度で、ハンドルが被害を受ける事は少ない。
【００１２】
発明の錠の取手収納機構の構造を説明する。
錠のハンドルの根元にあたるハンドル軸（７）に、ハンドル軸芯（１２）の向きと直角方向で、水平に向いた折り畳み軸（１３）を設ける。その折り畳み軸を軸にハンドル（８）が折れ曲がり、上方に９０度と水平方向にハンドルを動かす事ができる。ハンドルはハンドル軸との図示したような組み合わせにする事で、水平方向より下方には下がらず、ハンドルに強い力が掛かっても充分に必要な強度を確保する事ができる。図４Ｂは化粧座をわかり易くする為に黒く塗って示した。
【００１３】
ハンドルを水平にした状態では、ハンドルは自重によってハンドルを回す方向に垂れ下がる。それを定位置である水平位置に戻すのがハンドル戻しバネ（１７）である。
ハンドル戻しバネはハンドル側でなく、錠ケース内のラッチカム（１６）に組み付ける事もできる。しかしその場合は錠ケース（１５）を専用のハンドル戻しバネを持つ錠ケースにする必要が生じる。
図のようにハンドルに組み付ければ多くの型式の錠ケースにこのハンドルを組み付ける事ができる。
【００１４】
折り畳みハンドルと組み合わせる化粧座（５）には、ハンドルを上方に９０度回して折り畳んだ時にハンドルを収納するハンドルポケット（６）を設ける。
図ではハンドルをハンドルポケットに収納した状態を保持する為に、保持バネ（１８）を持つストップボール（１４）を設けている。
ハンドルを折り畳んだ状態で、ハンドルの出張りをより小さくしようとすれば、ハンドルの厚さ（２３）を薄くすれば良い。薄くした分ハンドルの幅（２４）を広くすればハンドルを握る時に握りにくくなる事は少ない。
【００１５】
ハンドル（８）を上方に９０度回して折り畳み、化粧座（５）のハンドルポケット（６）に収納する事でハンドルは化粧座によって保護され、ハンドルに物がぶつかるのを防ぐ事ができる。
ハンドル（８）は化粧座（５）の厚さ（２２）の中に納まり、化粧座から突き出さないのが最も良いが、化粧座から少し突き出た状態でも、ハンドルに物をぶつけてもそれなりにハンドルが受ける被害を小さくする事ができる。
【発明の効果】
【００１６】
従来は常時開扉型防火扉や、通路の仕切り扉等に使用する錠の取手で、使い易い取手が見られなかった。ケースハンドルは操作しにくく使いにくいものであった。
取手が扉面から突き出すものでは扉を壁面まで大きく開く事ができず、通路の幅を大きく確保する事ができなかった。
取手が扉面から出張るものでは扉の開扉固定状態で取手に物をぶつけ、取手に体を引掛ける問題があった。出張りが小さくても配膳車等を取手にぶつけ、取手が壊れる問題があった。
【００１７】
そのような扉に本発明の取手収納機構を利用する事で、錠の操作が必要な時にハンドルを水平位置に引き出せば、大きいハンドルによって錠の操作がし易く、取手が邪魔な時はハンドルを折り畳む事でハンドルの突き出しが小さくなり、折り畳んだハンドルが化粧座に収納される事で物や体をハンドルにぶつける事なく、安全で使い易くハンドルが被害を受けにくい錠の取手となる。
【発明を実施するための最良の形態】
【００１８】
本発明の錠の取手収納機構は、錠の取手を扉面からの突き出しを小さくする事と、取手に物や体をぶつけたり、引掛けるのを無くす目的で使用する。
その上で錠の操作がし易く、仮に物をぶつけても取手が壊れる事が無いのが特徴である。
【００１９】
錠の取手収納機構を持つ錠の使い方を図１、２、３、４に基づいて説明する。
取手とは錠のラッチボルト（４）を引込め、扉を引くか押して開ける為の道具である。その扉への取り付けは、図１のように行う。
図１はハンドル（８）を上に上げて化粧座（５）のハンドルポケット（６）に収納した事を示す。この状態で図ではハンドル（８）は化粧座（５）の厚さ内に納まり、化粧座表面より突き出さない。
【００２０】
図１の状態で扉を開ければ、扉面からのハンドルや化粧座の出張りが小さい為に扉を壁面までいっぱいに開く事ができ、扉の前の通路幅を大きく確保できる。
ハンドルは化粧座内に納まる事で、通路を通る人の体がハンドルに引掛かる事は無い。
通路を配膳車等が通っても出張りが小さい事で化粧座にぶつける事は少なく、ぶつけてもハンドルは化粧座に保護されて壊れる事はない。
【００２１】
ハンドルはハンドル軸（７）に設けた折り畳み軸（１３）を軸に上に回してハンドルポケット（６）に収納する。収納されたハンドルはストップボール（１４）によって保持される。
【００２２】
本発明の取手収納機構を使うにあたり、注意を説明する。
図の構造とした場合、ハンドル軸芯（１２）の動きを受けてラッチボルト（４）を引込めるラッチカム（１６）の構造を、左右のハンドルが独立回転するような構造にしなければならない。そうしないと、片方のハンドルが収納された状態ではハンドルを回す事ができず、扉を開けられない。
又は、ハンドルをハンドルポケットから引き出すと、もう一方のハンドルも自動的にハンドルポケットから出る構造としなければならない。
【００２３】
錠を操作する時は、収納されたハンドル（８）の上端に指を掛けてハンドルを引き出すとハンドルは水平位置となる。ハンドルは図示した構造によってそれ以上下がらない。後は従来のレバーハンドル錠の操作と同じく、ハンドルを下方に回す事でラッチボルトが引込み、扉を開ける事ができる。
ハンドルは従来のレバーハンドル錠のハンドル形状や大きさとする事で、握り易く使い易いハンドルとする事ができる。
【００２４】
ハンドルは水平位置の状態で物をぶつければ従来の取手のように取手が破壊する。
その為には、物がぶつかって危ないと思われた時は、ハンドルをハンドルポケットに収納する事が必要である。
【図面の簡単な説明】
【００２５】
【図１】発明の錠の取手収納機能を持つ錠を扉に取り付け、ハンドルを収納した斜視図である。
【図２】図１の扉を壁いっぱいに開き、上から見下ろした図である。
【図３】図１を扉正面側から見た図である。
【図４】Ａ．図３のA位置断面で、ハンドルをハンドルポケットに収納した事を示す。  Ｂ．ハンドルをハンドルポケットから引き出し、水平に開いた事を示す。
【図５】図４Bを扉正面側から見た図である。
【図６】Ａ．図５のB位置断面を示す。  Ｂ．図５のC位置断面を示す。  Ｃ．図５のD位置断面を示す。
【図７】従来のケースハンドルの斜視図である。
【符号の説明】
【００２６】
１        扉
２        扉の厚さの中心
３        錠フロント
４        ラッチボルト
５        化粧座
６        ハンドルポケット
７        ハンドル軸
８        ハンドル
９        吊り元側枠
１０      丁番
１１      壁
１２      ハンドル軸芯
１３      折り畳み軸
１４      ストップボール
１５      錠ケース
１６      ラッチカム
１７      ハンドル戻しバネ
１８      保持バネ
１９      ハンドル水平位置
２０      取り付けバー
２１      取り付けネジ
２２      化粧座の厚さ
２３      厚さ
２４      幅
３１      防火扉
３２      ラッチボルト
３３      ブラカンケース
３４      ブラカン
【図１】
2006328713.tif 000003
【図２】
2006328713.tif 000004
【図３】
2006328713.tif 000005
【図４】
2006328713.tif 000006
【図５】
2006328713.tif 000007
【図６】
2006328713.tif 000008
【図７】
2006328713.tif 000009